(57)【要約】【課題】除雪作業の作業者に対する危険性を解消すると共に、構造簡潔にして施工費及び維持費の安価である、屋根に設置する除雪装置を提供する。【解決手段】屋根面（5）上に設置される除雪装置であって、略棒体形状を有し屋根面（5）との間に間隔を空けて配置されかつ長手方向全体に亘って直下の屋根面（5）上の雪を排除可能な除雪機能を有する除雪部（1A,1B,1C,1D）と、除雪部（1A,1B,1C,1D）を、屋根面に沿って長手方向以外の方向に移動させる移送部（2A,2B,2C，3A,3B）と、を備え、移送部（2A,2B,3A,3B）が除雪部（1A,1B,1C,1D）を移動させる方向が、長手方向に対して垂直な方向であるか、又は、長手方向の一端を中心として旋回する方向である。【選択図】図１
2013096211.tif 000002
【特許請求の範囲】
【請求項１】
屋根面（5）上に設置される除雪装置であって、
略棒体形状を有し前記屋根面（5）との間に間隔を空けて配置されかつ長手方向全体に亘って直下の屋根面（5）上の雪を排除可能な除雪機能を有する除雪部（1A,1B,1C,1D）と、
前記除雪部（1A,1B,1C,1D）を、前記屋根面に沿って前記長手方向以外の方向に移動させる移送部（2A,2B,2C，3A,3B）と、を備えたことを特徴とする
除雪装置。
【請求項２】
前記移送部（2A,2B,3A,3B）が前記除雪部（1A,1B,1C,1D）を移動させる方向が、前記長手方向に対して垂直な方向であることを特徴とする請求項１に記載の除雪装置。
【請求項３】
前記長手方向に対して垂直な方向が、屋根の軒先（5b）に対して平行な方向であることを特徴とする請求項２に記載の除雪装置。
【請求項４】
前記移送部（2C）が前記除雪部（1A,1B,1C,1D）を移動させる方向が、前記長手方向の一端を中心として旋回する方向であることを特徴とする請求項１に記載の除雪装置。
【請求項５】
前記長手方向の一端が、屋根の軒先（5b）又は棟（5a）に配置されることを特徴とする請求項４に記載の除雪装置。
【請求項６】
前記除雪機能が、第１のモータ（M1）により前記除雪部（1A）上を移動するように駆動される１つの吸排雪装置（1A4）であって、前記吸排雪装置（1A4）は、第２のモータ（M1a）により回転駆動される羽根（1A41）により下方から雪を吸い上げて上方に排出することを特徴とする請求項１〜５のいずれかに記載の除雪装置。
【請求項７】
前記除雪機能が、前記除雪部（1B）の両端間に架け渡されかつモータ（M1）により動かされる無端ベルト（1B1）であって、前記無端ベルト（1B1）は、ベルト面から外方に突出する複数のスクレーパー（1B3）を所定の間隔で設けられていることを特徴とする請求項１〜５のいずれかに記載の除雪装置。
【請求項８】
前記除雪機能が、圧縮空気送管（1C3）である前記除雪部（1c）の筐体上に所定の間隔で設けた複数のエアノズル（1C2）であることを特徴とする請求項１〜５のいずれかに記載の除雪装置。
【請求項９】
前記除雪機能が、前記除雪部（1D）の両端間に並列に配置された一対のスクリューコンベア（1D1,1D3）であることを特徴とする請求項１〜５のいずれかに記載の除雪装置。
【発明の詳細な説明】
【技術分野】
【０００１】
本発明は、屋根上にわずかに積もった雪又は積もり始めた雪を除去するための除雪装置に関する。
【背景技術】
【０００２】
従来、降雪により屋根上に厚く積もった雪を人力に頼ることなく除去する装置として、電力を使用し温熱によって融雪させる方式やパイプを配して温水を通して融雪させる方式のものが知られている。しかし、このような方式では、施工費用がかさむ上に、雪を溶かして捨てる方式であることから、寒冷地ほど高額の維持費が必要となるため、一般には余り普及していない。
【０００３】
一般には、作業者が屋根に上がりスコップで放り投げたり、いわゆるスノ−ダンプなどと呼ばれる除雪具を手押ししたりして雪掻きする人力による方式が主流である。しかし、人力による方式では、作業者の靴底と雪面や踏みつけた雪とトタンや瓦の屋根との接面にすべりが生じて転倒の危険がある。この結果、落下事故が多く、毎年死亡者も出ている。
【０００４】
しかしながら、除雪作業を怠れば、積雪の重みで梁や柱がたわみ、戸の開け閉めができなくなるなどの障害が出たり家が倒壊する危険性もある。除雪作業は、建物寿命の長短に影響するばかりか、雪崩状に滑落した雪が通行人を直撃した例も見られる。またスコップやダンプと屋根面との衝突があったり、作業員の体の重みによってトタン板を傷つけたりする結果、屋根構造を破損させる危険性も生じる。
【０００５】
特許文献１には、屋根に降ってきた雪を、積もる前に強力な低音風エアーで吹き飛ばすと共に雪を瞬時に融解させて液体とする除雪装置が開示されている。特許文献１の除雪装置は、エアー吹き出しダクトを間隔を空けて桁行方向に設置し、エアー吹き出しダクト内では、エアー吹き出し口を具備する枠体がベルト上を移動するように構成されている。
【先行技術文献】
【特許文献】
【０００６】
【特許文献１】特開２００２−３０９８０２号公報
【発明の概要】
【発明が解決しようとする課題】
【０００７】
特許文献１の除雪装置は、屋根上に固定されたエアー吹き出しダクト内を、枠体が移動しながらエアーを吹き出すが、この構成では、エアー吹き出し手段が、一次元的な移動のみを行うので、屋根の二次元的な面の全てに適用するためには、複数のエアー吹き出しダクトを屋根上に設置する必要がある。
【０００８】
しかしながら、複数のエアー吹き出しダクトを設置したとしても、エアー吹き出しダクト同士の間に位置する屋根面においては、確実に除雪されることが保証されない。また、少なくとも４本のエアー吹き出しダクトを施工する必要があるので施工費が大きく、屋根の負担する施設重量も大きくなる。
【０００９】
以上の現状に鑑み、本発明は、このような除雪作業の作業者に対する危険性を解消すると共に、構造簡潔にして施工費及び維持費の安価である、屋根に設置する除雪装置を提供することを目的とする。特に、このような除雪装置であって、既に厚く積もった雪ではなく、降り始めや浅く積もった雪（例えば１〜５ｃｍ程度）を除くことにより、屋根への厚い積雪を防止できる除雪装置を提供することを目的とする。
【課題を解決するための手段】
【００１０】
上記の目的を達成するべく本発明は以下の構成を提供する。なお、括弧内の符号は、後述する図面中の符号であり、参考のために付するものである。
【００１１】
本発明の態様は、屋根面（5）上に設置される除雪装置であって、略棒体形状を有し前記屋根面（5）との間に間隔を空けて配置されかつ長手方向全体に亘って直下の屋根面（5）上の雪を排除可能な除雪機能を有する除雪部（1A,1B,1C,1D）と、前記除雪部（1A,1B,1C,1D）を、前記屋根面に沿って前記長手方向以外の方向に移動させる移送部（2A,2B,2C，3A,3B）と、を備えたことを特徴とする。
【００１２】
上記態様における第１の好適態様では、前記移送部（2A,2B,3A,3B）が前記除雪部（1A,1B,1C,1D）を移動させる方向が、前記長手方向に対して垂直な方向である。さらに、前記長手方向に対して垂直な方向が、屋根の軒先（5b）に対して平行な方向であることが、好適である。
【００１３】
上記態様における第２の好適態様では、前記移送部（2C）が前記除雪部（1A,1B,1C,1D）を移動させる方向が、前記長手方向の一端を中心として旋回する方向である。さらに、前記長手方向の一端が、屋根の軒先（5b）に配置されることが、好適である。
【００１４】
上記態様において、前記除雪機能の第１の好適態様は、第１のモータ（M1）により前記除雪部（1A）上を移動するように駆動される１つの吸排雪装置（1A4）であって、前記吸排雪装置（1A4）は、第２のモータ（M1a）により回転駆動される羽根（1A41）により下方から雪を吸い上げて上方に排出する。
【００１５】
上記態様において、前記除雪機能の第２の好適態様は、前記除雪部（1B）の両端間に架け渡されかつモータ（M1）により動かされる無端ベルト（1B1）であって、前記無端ベルト（1B1）は、ベルト面から外方に突出する複数のスクレーパー（1B3）を所定の間隔で設けられている。
【００１６】
上記態様において、前記除雪機能の第３の好適態様は、圧縮空気送管（1C3）である前記除雪部（1c））の筐体上に所定の間隔で設けた複数のエアノズル（1C2）である。
【００１７】
上記態様において、前記除雪機能の第４の好適態様は、前記除雪部（1D）の両端間に並列に配置された一対のスクリューコンベア（1D1,1D3）である。  
【発明の効果】
【００１８】
本発明の除雪装置は、長手方向全体に亘って除雪機能を有する略棒体形状の除雪部を、屋根面との間に間隔を空けて配置し長手方向以外の方向に移動させるものである。これにより、除雪部が移動した範囲内の全ての箇所において均等に除雪機能を発揮することができ、屋根面の広い面積に対して隈無く除雪することが可能となる。
【００１９】
この結果、重労働にして危険な作業から人間を解放できる。それと共に、積雪による家屋への重圧を軽減させて家屋の寿命を延長させる効果も奏する。
【図面の簡単な説明】
【００２０】
【図１】図１は、本発明による除雪装置の第１実施例を、屋根に設置した状態を概略的に示す図であり、（ａ）は平面図、（ｂ）は正面図である。
【図２】本発明による除雪装置の第２実施例を、図１と同様の山形の屋根に設置した状態を概略的に示す図であり、（ａ）は平面図、（ｂ）は正面図である。
【図３】本発明による除雪装置の第３実施例を、図１と同様の山形の屋根に設置した状態を概略的に示す図であり、（ａ）は平面図、（ｂ）は正面図である。
【図４】除雪装置における除雪部の第１実施例を概略的に示した図であり、（ａ）平面図、（ｂ）正面図及び（ｃ）Ａ断面図である。
【図５】図５は、除雪装置における除雪部の第２実施例を概略的に示した図であり、（ａ）平面図、（ｂ）正面図、（ｃ）Ｂ視図及び（ｄ）Ｃ視図である。
【図６】図６は、除雪装置における除雪部の第３実施例を概略的に示した図であり、（ａ）底面図及び（ｂ）正面図である。
【図７】図７は、除雪装置における除雪部の第４実施例を概略的に示した図であり、（ａ）平面図及び（ｂ）Ｅ視図である。
【図８】図４〜図７に例示した除雪部の一端を支持して直進移動させる直進移送部の第１実施例を概略的に示した図であり、（ａ）平面図及び（ｂ）Ｆ断面図である。
【図９】図９は、図４〜図７に例示した除雪部の一端を支持して直進移動させる直進移送部の第２実施例を概略的に示した図であり、（ａ）平面図、（ｂ）Ｇ視図及び（ｃ）Ｈ断面図である。
【図１０】図１０は、図４〜図７に例示した除雪部２本の各々の一端すなわち二端を支持して直進移動させる直進移送部の第１実施例を概略的に示した図であり、（ａ）正面図及び（ｂ）Ｉ視図である。
【図１１】図１１は、図４〜図７に例示した除雪部２本の各々の一端すなわち二端を支持して直進移動させる直進移送部の第２実施例を概略的に示した図であり、（ａ）正面図及び（ｂ）Ｊ視図である。
【発明を実施するための形態】
【００２１】
以下、本発明の実施例を示した図面を参照して、本発明の実施形態を説明する。なお、本発明の除雪装置は、山形の屋根のみに適用されるものではなく、屋根面が平坦な面であれば、傾斜していなくとも、平面形状が矩形でなくとも適用可能である。また、１つの屋根面全体に適用されることが望ましいが、諸処の事情により部分的に適用されてもよい。
【００２２】
図１は、本発明による除雪装置の第１実施例を、屋根に設置した状態を概略的に示す図であり、（ａ）は平面図、（ｂ）は正面図である。
【００２３】
この屋根は、棟５ａから両側の軒先５ｂへと傾斜する一般的な山形のものである。棟５ａを中心線として対称的な２つの矩形の屋根面５を備えている。
除雪装置の第１実施例では、除雪部１Ａと、移送部２Ａ、３Ａとを備えている。
【００２４】
除雪部１Ａは、１つの平坦な矩形の屋根面５に対して１つだけ設けられ、図示の例では２つの除雪部１Ａ、１Ａが設けられている。除雪部１Ａの概略的な形状は、所定の長さの略棒体形状である（なお、除雪部１Ａの具体的構成は、後に図４において詳述する）。除雪部１Ａは、屋根面５の上方に間隔を空けて配置される。除雪部１Ａの長手方向は、屋根面５に対してほぼ平行に配置されるが、棟５ａに近いほど間隔が大きく、軒先５ｂに近いほど間隔が小さくなるようにすることが好適である。本装置は、特に降り始めや浅く積もった雪（例えば１〜５ｃｍ程度）の除去に適しているので、屋根面５と除雪部１Ａの間の距離は、例えば５〜１５ｃｍ程度とする。しかしながら、この距離範囲に限定するものではない。
【００２５】
ここで、本明細書において「棒体形状」とは、長手方向に垂直な断面の最大幅や最大径に比べて長手方向の寸法が大きい（少なくとも十倍以上）形状を意味し、「略」を付しているのは、必ずしも規則的な円柱、円管、角柱、角管等の外形ではないことを意味する。
【００２６】
除雪部１Ａは、その長手方向全体に亘って直下の屋根面５上の雪を除去可能な除雪機能を有する。除雪部１Ａの場合、その除雪機能は、除雪部１Ａに取り付けられた１つの吸排雪装置１Ａ４により実現される。吸排雪装置１Ａ４は、屋根面５上の雪を下方から吸い込み、矢印Ｓで示すように軒先に向かう方向へ排出する装置である。除雪装置の作動時には、矢印Ｘで示すように、吸排雪装置１Ａ４が、モータＭ１の駆動により除雪部１Ａの長手方向全体に亘って往復移動する。吸排雪装置１Ａ４自体の除雪機能はポイント的であるが、これが長手方向全体に亘って移動することにより、除雪部１Ａの長手方向全体に亘る除雪機能を実現する。
【００２７】
２つの移送部２Ａの各々は、各軒先５ｂ上にそれぞれ設置されている。また、１つの移送部３Ａは、棟５ａ上に設置されている。移送部２Ａ、３Ａの概略的な形状は、屋根面５の桁行方向の全長に亘る長さを有する略棒体形状である（なお、移送部２Ａの具体的構成は、後に図８において詳述し、移送部３Ａの具体的構成は、後に図１０において詳述する）。除雪部１Ａは、その一端が一方の移送部２Ａにより支持され、他端は移送部３Ａにより支持されている。従って、移送部２Ａは、１つの除雪部１Ａの端部のみを支持するが、移送部３Ａは、２つの除雪部１Ａの端部を支持する。
【００２８】
これらの移送部２Ａ、３Ａは、除雪部１Ａを、屋根面５に沿って移動させる。その移動方向は、除雪部１Ａの長手方向以外の方向である。このように、略棒体形状の除雪部１Ａを屋根面５に沿って、かつ長手方向以外の方向に移動させることにより、除雪部１Ａは、屋根面５上の広い面積を、いわば走査することができる。
【００２９】
従って、除雪部１Ａの吸排雪装置１Ａ４を長手方向に移動させつつ、除雪部１Ａを長手方向に垂直な方向に直進移動させることにより、屋根面５全体を除雪することができる。
【００３０】
図示の例では、矢印Ｙで示すように、除雪部１Ａをその長手方向に対して垂直な方向に直進移動させている。この場合、屋根の軒先５ｂに対して平行な方向である。一例として、図示の除雪部１Ａの位置が原位置（除雪装置が停止中のときの位置）の場合、除雪部１Ａは、原位置と前縁５ｃの間を往復移動すると共に、原位置と後縁５ｄの間を往復移動する。図１（ａ）では、前縁５ｃと後縁５ｄに移動したときの除雪部１Ａを点線で示している。移送部２Ａ、３Ａによる除雪部１Ａの移動は、それぞれのモータＭ２、Ｍ３の駆動により行われる。なお、原位置は、図示の位置に限られず、前縁５ｃ又は後縁５ｄを原位置としてもよい。
【００３１】
２つの除雪部１Ａを円滑に直進させるためには、移送部２ＡのモータＭ２と移送部３ＡのモータＭ３を連動させるように制御する必要がある。
【００３２】
これらのモータＭ２、Ｍ３の駆動は、図示しない電子制御回路からの制御信号により制御することができる。これにより、モータの回転方向、回転速度、方向転換のタイミングを適宜設定する。
【００３３】
また、降雪は一夜にして数十センチに達する場合もあり、これを一度に除雪することは困難であったり、ある程度の積雪量を超えての作動は負荷が大きすぎて困難となる可能性がある。従って、この除雪装置においては、上記の電子制御回路と適宜のセンサを連携させることが好適である。例えば、センサにより降雪や積雪量を感知して除雪装置の作動を開始させる。降雪中は、連続的に作動させる。また、センサにより雪が降り止んだときを感知して作動を停止させる。これによって、この除雪装置は、無人での除雪作業を実現できる。加えて、センサを利用した自動作動方式は、省エネルギーでもある。
このような自動制御は、以下の他の実施例においても、同様に適用可能である。
【００３４】
図２は、本発明による除雪装置の第２実施例を、図１と同様の山形の屋根に設置した状態を概略的に示す図であり、（ａ）は平面図、（ｂ）は正面図である。
【００３５】
除雪装置の第２実施例では、除雪部１Ｂと、移送部２Ｂ、３Ｂとを備えている。除雪部１Ｂ及び移送部２Ｂ、３Ｂはそれぞれ、上述した図１の除雪部及び移送部とは具体的構成において異なるが、基本的な機能は共通する。すなわち、除雪部１Ｂは、長手方向全体に亘って直下の屋根面５上の雪を除去可能な除雪機能を有しており、移送部２Ｂ、３Ｂは、除雪部１Ｂを屋根面５に沿って、かつその長手方向以外の方向に移動させる機能を有する。
【００３６】
２つの除雪部１Ｂ、１Ｂは、図１の第１実施例と同様に配置されている。除雪部１Ｂの概略的な形状も、所定の長さの略棒体形状である（なお、除雪部１Ｂの具体的構成は、後に図５おいて詳述する）。
【００３７】
除雪部１Ｂもまた、長手方向全体に亘って直下の屋根面５上の雪を除去可能な除雪機能を有する。除雪部１Ｂの場合、その除雪機能は、除雪部１Ｂの両端間に架け渡されかつモータにより矢印Ｘで示すように動かされる無端ベルトにより実現される。この無端ベルトには、ベルト面から突出する複数のスクレーパー１Ｂ３が所定の間隔で設けられている。スクレーパー１Ｂ３により、屋根面５上の雪を軒先５ｂの方へ押しやる。
【００３８】
図１と同様に、２つの移送部２Ｂの各々が、各軒先５ｂ上にそれぞれ設置され、１つの移送部３Ｂが棟５ａ上に設置されている（なお、移送部２Ｂの具体的構成は、後に図９において詳述し、移送部３Ｂの具体的構成は、後に図１１において詳述する）。これらの移送部２Ｂ、３Ｂは、除雪部１Ｂの両端を支持し、矢印Ｙで示すように、除雪部１Ｂの長手方向に対して垂直な方向に直進移動させる。移送部２Ｂ、３Ｂによる除雪部１Ｂの移動は、それぞれのモータＭ２、Ｍ３の駆動により行われる。
【００３９】
従って、除雪部１Ｂの無端ベルトを長手方向に動かしつつ、除雪部１Ｂを長手方向に垂直な方向に直進移動させることにより、屋根面５全体を除雪することができる。
【００４０】
なお、図１及び図２に示した除雪装置の構成においては、除雪部として除雪部１Ａと１Ｂのいずれを採用してもよい。さらに、後述する図６又は図７に示す除雪部の別の実施例を採用してもよい。また、軒先５ｂに設置する移送部として移送部２Ａと２Ｂのいずれを採用してもよく、棟５ａに設置する移送部として移送部３Ａと３Ｂのいずれを採用してもよい。このように、本明細書に示す除雪部及び移送部の各実施例は、任意に組合せることが可能である。
【００４１】
図３は、本発明による除雪装置の第３実施例を、図１と同様の山形の屋根に設置した状態を概略的に示す図であり、（ａ）は平面図、（ｂ）は正面図である。
【００４２】
除雪装置の第３実施例では、除雪部１Ｃと、移送部２Ｃとを備えている。除雪部１Ｃ及び移送部２Ｃはそれぞれ、上述した図１及び図２の除雪部及び移送部とは具体的構成において異なる点もあるが、基本的な機能は共通する。すなわち、除雪部１Ｃは、長手方向全体に亘って直下の屋根面５上の雪を除去可能な除雪機能を有しており、移送部２Ｃは、除雪部１Ｃを屋根面５に沿って、かつその長手方向以外の方向に移動させる機能を有する。
【００４３】
第３実施例では、除雪部１Ｃの概略形状自体は、図１及び図２の実施例と同様に所定の長さの略棒体形状である（なお、除雪部１Ｃの具体的構成は、後に図６おいて詳述する）。また、除雪部１Ｃも、長手方向全体に亘って直下の屋根面５上の雪を除去可能な除雪機能を有する。除雪部１Ｃの場合、その除雪機能は、圧縮空気送管である除雪部１Ｃの筐体上に所定の間隔で設けた複数のエアノズル１Ｃ２である。エアノズル１Ｃ２は、圧縮空気により軒先５ｂの方へ雪を吹き飛ばす方向に向いている。
【００４４】
しかしながら、第３実施例では、除雪部１Ｃの配置方法及び移動方向が、上述した図１及び図２の実施例とは異なっている。除雪部１Ｃは、長手方向の一端が軒先５ｂの所定の１箇所にて支持され、他端は自由端となっている。図示の例では、軒先５ｂの全長の中点において、除雪部１Ｃの一端が支持されている。
【００４５】
第３実施例における移送部２Ｃは、除雪部１Ｃの一端を支持するとともに、この支持された一端を中心として、矢印Ｒで示すように除雪部１Ｃを旋回移動させる。この旋回移動は、支持点の直下に設けたモータＭ２の駆動による。モータＭ２は、例えば、所定のギアとの組合せにより旋回速度や旋回範囲を設定可能なものとする。また、除雪部１Ｃとの重量バランスをとるために、支持点の反対側に適切な重錘Ｗが取り付けられている。重錘Ｗにより、除雪部１Ｃの重量によって軸を曲げようとする力を相殺することができる。この結果、除雪部１Ｃが屋根面５とのほぼ一定の距離を保ったまま、円滑に旋回移動することができる。
【００４６】
従って、除雪部１Ｃのエアノズル１Ｃ１から圧縮空気を吹き出しつつ、除雪部１Ｃを旋回させることにより、屋根面５の大部分の面積に亘って除雪することができる。
【００４７】
２つの除雪部１Ｃ、１Ｃの走査する範囲が、屋根面５の中央部で重なっているので、２つの除雪部１Ｃ、１Ｃが互いに衝突しないように、旋回のタイミングをずらすなどの制御を行う。あるいは、衝突防止のために除雪部１Ｃに近接センサを取り付け、衝突しそうな場合は旋回を停止させてもよい。モータＭ２におけるこのような制御は、周知技術である。
【００４８】
なお、除雪部１Ｃの旋回移動の範囲は、図示した１８０度の範囲に限定されず、諸処の条件により別の角度範囲としてもよい。また、旋回中心は、軒先５ｂの全長の中点でなくともよい。また第３実施例では、メンテナンスが容易であることから、旋回移動させるモータＭ２を軒先５ｂに設置したが、別の実施例として、棟５ａの位置にモータＭ２を設置してもよい。また、諸処の事情により、軒先５ｂ及び棟５ａ以外の位置にモータＭ２を設置することも可能である。このように、除雪部１Ｃの旋回中心となる長手方向の一端は、軒先５ｂに配置することが好適であるが、軒先以外の棟５ａ等に配置されてもよい。
【００４９】
第３の実施例では、上述した図１及び図２の実施例とは異なり、矩形の屋根面５の場合に除雪部１Ｃによって走査されない範囲（棟５ａの前縁５ｃ及び後縁５ｄの近傍）ができる点が不利であるが、移送部２Ｃの大きさ及び取付箇所がコンパクトであるという利点がある。
【００５０】
なお、図３に示した除雪装置の構成において、除雪部１Ｃに替えて図１又は図２の除雪部１Ａ又は１Ｂのいずれを採用してもよい。さらに、後述する図６又は図７に示す除雪部の別の実施例を採用してもよい。
【００５１】
以下に説明する各図面においては、除雪部及び移送部の内部構造を示すために筐体（ケーシング）の全部又は一部を省略して示す場合がある。筐体は、除雪部及び移送部の主たる機能を損なわず、内部構造支持（軸受等）や設置のための常識的な機能を備えていればよく、具体的な細部の形状までは限定しない。
【００５２】
図４は、除雪装置における除雪部の第１実施例を概略的に示した図であり、（ａ）平面図、（ｂ）正面図及び（ｃ）Ａ断面図である。この実施例は、図１に示した除雪部１Ａであるが、図２又は図３に示した除雪部に替えてこの除雪部１Ａを用いることもできる。
【００５３】
除雪部１Ａは、筐体１Ａ５の内部に長手方向に送りネジ１Ａ１が設けられている。送りネジ１Ａ１は、筐体１Ａ５の一端に取り付けられたモータＭ１に連結され、正逆両方向に回転駆動可能である。送りネジ１Ａ１に取り付けられたナット１Ａ２は、回転方向により長手方向のいずれかの方向に移動する。ナット１Ａ２には、筐体１Ａ５の下方から外部に出て延在する吸排雪装置支持部材１Ａ３が連結されている。吸排雪装置支持部材１Ａ３には吸排雪装置１Ａ４が固定され、これを支持している。よって、モータＭ１の回転により、吸排雪装置１Ａ４は、除雪部１Ａの長手方向に移動する。
【００５４】
吸排雪装置１Ａ４は、筒状ケーシング１Ａ４２の内部にモータＭ１ａと羽根１Ａ４１を設けている。羽根１Ａ４１は、下向きに取り付けられ、モータＭ１ａにより回転駆動される。また、筒状ケーシング１Ａ４２の下端は開口し、上方にも排出口１Ａ４３が形成されている。羽根１Ａ４１が回転すると、下から上への空気の流れを生じ、直下の雪を吸い込み、上方の排出口１Ａ４３から投雪する。投雪する方向は、軒先へ向かう方向とする。
【００５５】
図示した送風式の吸排雪装置１Ａ４の替わりに、一般に使用されているロータリー式除雪機や家庭用電動式除雪機を使用しても同等の目的を達することができる。
【００５６】
図５は、除雪装置における除雪部の第２実施例を概略的に示した図であり、（ａ）平面図、（ｂ）正面図、（ｃ）Ｂ視図及び（ｄ）Ｃ視図である。この実施例は、図２に示した除雪部１Ｂであるが、図１又は図３の実施例の除雪部に替えてこの除雪部２Ｂを用いることもできる。
【００５７】
除雪部１Ｂは、長手方向の両端に配置された一対のプーリー１Ｂ２、１Ｂ２の間に架け渡された無端ベルト１Ｂ１を備えている。一方のプーリー１Ｂ２の軸上にモータＭ１が取り付けられており、モータＭ１により回転駆動される。無端ベルト１Ｂ１は、除雪部１Ｂの上面側と下面側を長手方向に動く。さらに、無端ベルト１Ｂ１は、ベルト面から外方に突出する複数の板状のスクレーパー１Ｂ３を所定の間隔で設けられている。無端ベルト１Ｂ１を動かすと、下面側に位置するスクレーパー１Ｂ３同士の間の雪が移動させられる。雪の移動する方向が、軒先へ向かう方向となるように無端ベルト１Ｂ１を動かす。
【００５８】
なお、スクレーパー１Ｂ３は、図示の例では、ベルト面に対して垂直であるが、雪を移動させる方向に傾斜させてもよい。
また、（ｄ）のＣ視図では、反対側の端部のモータＭ１が右側に見えるはずであるが図示を省略している。
【００５９】
図示した無端ベルト１Ｂ１及びプーリー１Ｂ２、１Ｂ２の替わりに、スプロケット及びチェーンを使用してチェーンコンベア状にしても同等の目的を達することができる。
【００６０】
図６は、除雪装置における除雪部の第３実施例を概略的に示した図であり、（ａ）底面図及び（ｂ）正面図である。この実施例は、図３に示した除雪部１Ｃであるが、図１又は図２の実施例の除雪部に替えてこの除雪部１Ｃを用いることもできる。
【００６１】
除雪部１Ｃは、その筐体が圧縮空気送管１Ｃ３となっている。図示の例では、圧縮空気送管１Ｃ３の一端にコンプレッサ１Ｃ１とコンプレッサを駆動するモータＭ１が取り付けられている。圧縮空気送管１Ｃ３の他端は閉じている。圧縮空気送管１Ｃ３の下面側には、所定の間隔にて複数のエアノズル１Ｃ２が設けられている。エアノズル１Ｃ２は、雪を移動させる方向に傾斜して取り付けられている。コンプレッサ１Ｃ１から圧縮空気送管１Ｃ３内に圧縮空気が送り込まれると、エアノズル１Ｃ２から圧縮空気が吹き出す。これにより、雪を軒先の方向へ移動させる。
【００６２】
なお、図示の例では、コンプレッサ１Ｃ１とモータＭ１が、除雪部１Ｃに直接設けられているが、本装置の外部の適切な場所に設置したコンプレッサからフレキシブルなチューブを介して除雪部１Ｃの圧縮空気送管１Ｃ３に圧縮空気を送ってもよい。
【００６３】
図７は、除雪装置における除雪部の第４実施例を概略的に示した図であり、（ａ）平面図及び（ｂ）Ｅ視図である。この除雪部１Ｄも、その長手方向全体に亘って直下の雪を除去する除雪機能を備えており、上述した図１〜図３の実施例における除雪部に替えて用いることができる。
【００６４】
除雪部１Ｄは、長手方向の両端間に並列に配置された一対のスクリューコンベア１Ｄ１、１Ｄ３を有する。各スクリューコンベア１Ｄ１、１Ｄ３には、その周囲にスパイラル状の曲面を備えた板が取り付けられている。図示の例では、各軸１Ｄ２、１Ｄ４の一端は、１つのモータＭ１（二軸モータ）により同時に回転駆動され、他端は支持部材１Ｄ５により回転自在に支持されている。別の実施例として、各軸を別個のモータで回転駆動してもよいが、その場合は２つのモータの回転を連動させる。図７（ｂ）に矢印で示すように、一対のスパイラル状の板は互いに逆向きに回転しており、それにより、いずれのスパイラル状の板も、直下の雪を軒先へ向かう方向に移動させる。
【００６５】
図８は、図４〜図７に例示した除雪部の一端を支持して直進移動させる直進移送部の第１実施例を概略的に示した図であり、（ａ）平面図及び（ｂ）Ｆ断面図である。
【００６６】
この第１実施例は、図１に示した軒先の移送部２Ａであるが、図２に示した軒先の移送部２Ｂに替えてこの移送部２Ａを用いることもできる。また、直進移送部である移送部２Ａは、除雪部の他端を支持するもう１つの移送部（棟上に位置する）との組合せで用いられる。
【００６７】
移送部２Ａは、筐体２Ａ４の内部に長手方向に送りネジ２Ａ１が設けられている。送りネジ２Ａ１は、筐体２Ａ４の一端に取り付けられたモータＭ２に連結され、正逆両方向に回転駆動される。送りネジ２Ａ１に取り付けられたナット２Ａ２は、回転方向により長手方向のいずれかの方向に移動する。ナット２Ａ２には側方に延在する除雪部支持部材２Ａ３が連結されている。
【００６８】
除雪部支持部材２Ａ３には、図４〜図７に示した除雪部１Ａ、１Ｂ、１Ｃ、１Ｄのいずれかを固定可能である。移送部２Ａの長手方向と、除雪部１Ａ等の長手方向は、直交している。
【００６９】
モータＭ２が作動すると、移送部２Ａのナット２Ａ２が図８（ａ）の上下方向に移動する。同時に除雪部１Ａ等が作動することにより、除雪部１Ａ等の長手方向すなわち図８（ａ）の左右方向に亘って除雪機能が発揮される。
【００７０】
図９は、図４〜図７に例示した除雪部の一端を支持して直進移動させる直進移送部の第２実施例を概略的に示した図であり、（ａ）平面図、（ｂ）Ｇ視図及び（ｃ）Ｈ断面図である。
【００７１】
この第２実施例は、図２に示した軒先の移送部２Ｂであるが、図１に示した軒先の移送部２Ａに替えてこの移送部２Ｂを用いることもできる。また、直進移送部である移送部２Ｂは、除雪部の他端を支持するもう１つの移送部（棟上に位置する）との組合せで用いられる。
【００７２】
移送部２Ｂは、長手方向の両端に配置された一対のプーリー２Ｂ２、２Ｂ２の間に架け渡された無端ベルト２Ｂ１を備えている。一方のプーリー２Ｂ２の軸上にモータＭ２が取り付けられており、モータＭ２により回転駆動される。無端ベルト２Ｂ１は、移送部２Ｂの上面側と下面側を長手方向に動く。
【００７３】
さらに、無端ベルト２Ｂ１の上面側には、一例として除雪部１Ｂ（図５参照）の一端が固定されている。図示のように、無端ベルト２Ｂ１の上面に、適宜の固定手段（例えばボルトとナット）により除雪部支持部材２Ｂ３を固定している。
【００７４】
除雪部支持部材２Ｂ３は、上方に２本のアームが延びたコ字状であり、２本のアームで除雪部１Ｂの一部（図示しないが、例えばプーリー１Ｂ２の軸支持部材等）を挟持している。除雪部支持部材２Ｂ３は、除雪部１Ｂの無端ベルト１Ｂ１及びスクレーパー１Ｂ３の動作に支障のないように除雪部１Ｂを支持している。
【００７５】
モータＭ２が作動すると、移送部２Ｂの無端ベルト２Ｂ１が動くことにより除雪部１Ｂは図９（ａ）の上下方向に移動する。同時にモータＭ１が作動すると、除雪部１Ｂの無端ベルト１Ｂ１が図９（ａ）の左右方向に移動して除雪機能を発揮する。
【００７６】
図示した無端ベルト２Ｂ１及びプーリー２Ｂ２、２Ｂ２の替わりに、スプロケット及びチェーンを使用してチェーンコンベア状にしても同等の目的を達することができる。また、移送対象の除雪部として、図５の除雪部１Ｂに限らず、図４、図６及び図７に示した除雪部も用いることができる。
【００７７】
図１０は、図４〜図７に例示した除雪部２本の各々の一端すなわち二端を支持して直進移動させる直進移送部の第１実施例を概略的に示した図であり、（ａ）正面図及び（ｂ）Ｉ視図である。
【００７８】
この第１実施例は、図１に示した棟上の移送部３Ａであるが、図２に示した棟上の移送部３Ｂに替えてこの移送部３Ａを用いることもできる。また、直進移送部である移送部３Ａは、２本の除雪部の各々の他端（軒先に位置する）を支持する図８又は図９に示した移送部２Ａ又は２Ｂとの組合せで用いられる。
【００７９】
移送部３Ａは、筐体３Ａ４の内部に長手方向に送りネジ３Ａ１が設けられている。送りネジ３Ａ１は、筐体３Ａ４の一端に取り付けられたモータＭ３に連結され、正逆両方向に回転駆動される。送りネジ３Ａ１に取り付けられたナット３Ａ２は、回転方向により長手方向のいずれかの方向に移動する。ナット３Ａ２には、上方に延在する除雪部支持部材３Ａ３が連結されている。
【００８０】
除雪部支持部材３Ａ３は、２つの除雪部を支持できる形状を具備する。例えば、上方に延びるコ字状のアームを一対具備する。図示の例では、各アームに、図５に示した除雪部１Ｂがそれぞれ固定されている。２本の除雪部１Ｂ、１Ｂは、除雪部支持部材３Ａ３に固定された一端から互いに反対方向に延びている。移送部３Ａの長手方向と、除雪部１Ｂの長手方向は、直交している。（ｂ）Ｉ視図では、（ａ）正面図における右側の除雪部１Ｂと移送部３Ａを示している。
【００８１】
モータＭ３が作動すると、移送部３Ａのナット３Ａ２が図１０（ｂ）の左右方向に移動する。同時に除雪部１ＢのモータＭ１が作動することにより、除雪部１Ｂの長手方向に亘って除雪機能が発揮される。
【００８２】
また、移送対象の除雪部として、図５の除雪部１Ｂに限らず、図４、図６及び図７に示した除雪部も用いることができる。
【００８３】
図１１は、図４〜図７に例示した除雪部２本の各々の一端すなわち二端を支持して直進移動させる直進移送部の第２実施例を概略的に示した図であり、（ａ）正面図及び（ｂ）Ｊ視図である。
【００８４】
この第２実施例は、図２に示した棟上の移送部３Ｂであるが、図１に示した棟上の移送部３Ａに替えてこの移送部３Ｂを用いることもできる。また、直進移送部である移送部３Ｂは、除雪部の他端を支持するもう１つの移送部（軒先に位置する）との組合せで用いられる。
【００８５】
移送部３Ｂは、長手方向の両端に配置された一対のプーリー３Ｂ２の間に架け渡された無端ベルト３Ｂ１を備えている。一方のプーリー３Ｂ２の軸上にモータＭ３が取り付けられており、モータＭ３により回転駆動される。無端ベルト３Ｂ１は、移送部３Ｂの上面側と下面側を長手方向に動く。
【００８６】
さらに、無端ベルト３Ｂ１の上面側には、一例として除雪部１Ｂ（図５参照）の一端が固定されている。図示のように、無端ベルト３Ｂ１の上面側に除雪部支持部材３Ｂ３を固定している。
【００８７】
除雪部支持部材３Ｂ３は、２つの除雪部を支持できる形状を具備する。例えば、上方に延びるコ字状のアームを一対具備する。図示の例では、各アームに、図５に示した除雪部１Ｂがそれぞれ固定されている。２本の除雪部１Ｂ、１Ｂは、除雪部支持部材３Ｂ３に固定された一端から互いに反対方向に延びている。移送部３Ｂの長手方向と、除雪部１Ｂの長手方向は、直交している。（ｂ）Ｊ視図では、（ａ）正面図における右側の除雪部１Ｂと移送部３Ｂを示している。
【００８８】
モータＭ３が作動すると、移送部３Ｂの無端ベルト３Ｂ１が動くことにより除雪部１Ｂは図１１（ｂ）の左右方向に移動する。同時にモータＭ１が作動すると、除雪部１Ｂの無端ベルト１Ｂ１が移動して除雪機能を発揮する。
【００８９】
図示した無端ベルト３Ｂ１の替わりに、スプロケット及びチェーンを使用してチェーンコンベア状にしても同等の目的を達することができる。また、移送対象の除雪部として、図５の除雪部１Ｂに限らず、図４、図６及び図７に示した除雪部も用いることができる。
【００９０】
なお、別の実施例として、図１０又は図１１に示した棟上に設置する二端用の直進移送部３Ａ又は３Ｂの替わりに、図８又は図９に示した一端用の直進移送部２Ａ又は２Ｂを２本、棟の両側に設置してもよい。
【符号の説明】
【００９１】
１Ａ：除雪部
１Ａ１：送りネジ
１Ａ２：ナット
１Ａ３：吸排雪装置支持部材
１Ａ４：吸排雪装置
１Ａ４１：羽根
１Ａ４２：ケーシング
１Ａ４３：排出口
１Ａ５：筐体
１Ｂ：除雪部
１Ｂ１：無端ベルト
１Ｂ２：プーリー
１Ｂ３：スクレーパー
１Ｃ：除雪部
１Ｃ１：コンプレッサ
１Ｃ２：エアノズル
１Ｃ３：圧縮空気送管
１Ｄ：除雪部
１Ｄ１：スクリューコンベア
１Ｄ２：コンベア軸
１Ｄ３：スクリューコンベア
１Ｄ４：コンベア軸
１Ｄ５：コンベア軸支持部材
２Ａ：（直進）移送部（一端用）
２Ａ１：送りネジ
２Ａ２：ナット
２Ａ３：除雪部支持部材
２Ａ４：筐体
２Ｂ：（直進）移送部（一端用）
２Ｂ１：無端ベルト
２Ｂ２：プーリー
２Ｂ３：除雪部支持部材
２Ｂ４（移送部）筐体
２Ｃ：（旋回）移送部
３Ａ：（直進）移送部（二端用）
３Ａ１：送りネジ
３Ａ２：ナット
３Ａ３：除雪部支持部材
３Ａ４：（移送部）筐体
３Ｂ：（直進）移送部（二端用）
３Ｂ１：無端ベルト
３Ｂ２：プーリー
３Ｂ３：除雪部支持部材
３Ｂ４：筐体
５：屋根面
５ａ：棟、５ｂ：軒先、５ｃ：前縁、５ｄ：後縁
Ｍ１：（除雪部）モータ、
Ｍ１ａ：（吸排雪装置）モータ
Ｍ２、Ｍ３：（移送部）モータ
Ｗ：重錘  
【図１】
2013096211.tif 000003
【図２】
2013096211.tif 000004
【図３】
2013096211.tif 000005
【図４】
2013096211.tif 000006
【図５】
2013096211.tif 000007
【図６】
2013096211.tif 000008
【図７】
2013096211.tif 000009
【図８】
2013096211.tif 000010
【図９】
2013096211.tif 000011
【図１０】
2013096211.tif 000012
【図１１】
2013096211.tif 000013